(57)【要約】【課題】化粧用チップが取付基板から不測に外れるのを防止できると共に、洗った場合等に、化粧用チップから水気を簡単に取ることができる。【解決手段】把持体２の一端部に取付基板３が設けられ、取付基板３に化粧用チップ４を装着するようにした化粧用具において、化粧用チップ４は、取付基板３を内嵌する嵌合溝部７を有すると共に、嵌合溝部７を挟む一方側に中実体８を有し、他方側に被覆体９を有し、中実体８の内面が、取付基板３を接着する接着面１５とされ、被覆体９と嵌合溝部７との間に空洞部１１が設けられている。【選択図】　　　図２
2004057693.tif 000002
【特許請求の範囲】
【請求項１】
把持体（２）の一端部に取付基板（３）が設けられ、取付基板（３）に化粧用チップ（４）を装着するようにした化粧用具において、
化粧用チップ（４）は、取付基板（３）を内嵌する嵌合溝部（７）を有すると共に、嵌合溝部（７）を挟む一方側に中実体（８）を有し、他方側に被覆体（９）を有し、中実体（８）の内面が、取付基板（３）を接着する接着面（１５）とされ、被覆体（９）と嵌合溝部（７）との間に空洞部（１１）が設けられていることを特徴とする化粧用具。
【請求項２】
前記嵌合溝部（７）及び空洞部（１１）の周囲を、基端側を残して塞ぐように、前記化粧用チップ（４）の中実体（８）と被覆体（９）との幅方向両側と先端側とが、一体に連結され、中実体（８）と被覆体（９）との間の基端側に、取付基板（３）を挿入する挿入口（１２）が設けられていることを特徴とする請求項１に記載の化粧用具。
【請求項３】
前記取付基板（３）は楕円の板状に形成され、化粧用チップ（４）は、扁平な楕円状に形成されていることを特徴とする請求項１に記載の化粧用具。
【請求項４】
前記嵌合溝部（７）は、空洞部（１１）側から中実体（８）側に向けて段部（１３）を介して取付基板（３）に対応する形状で没入形成されていることを特徴とする請求項１に記載の化粧用具。
【請求項５】
前記化粧用チップ（４）は、シリコーンにより構成されていることを特徴とする請求項１〜４のいずれかに記載の化粧用具。
【発明の詳細な説明】
【０００１】
【発明の属する技術分野】
本発明は、ラメやアイシャドー等を塗布するために用いられる化粧用具に関する。
【０００２】
【従来の技術】
ラメやアイシャドー等を塗布するために用いられる化粧用具には、図１３〜図１５に示すように、把持体８１の一端部に取付基板８２が設けられ、取付基板８２に、化粧用チップ８３を外嵌固着するようにしたものがある。
しかし、この種の従来の化粧用具は、同図に示すように、化粧用チップ８３を扁平な楕円筒状に形成して、化粧用チップ８３をその基端開口部８４から取付基板８２に外嵌装着して、化粧用チップ８３の、幅方向両側から先端部に至る内周部を、取付基板８２の外周部に接着剤８５により接着し、取付基板８２と化粧用チップ８３の厚み方向両側との間に空洞部８６を設けていた。
【０００３】
【発明が解決しようとする課題】
しかし、従来の場合、化粧用チップ８３の内周部のみを、取付基板８２の外周部に接着しているため、取付基板８２から化粧用チップ８３が不測に外れるおそれが大であった。また、従来の場合、化粧用具を洗うと、取付基板８２と化粧用チップ８３との間に水が浸入することとなるが、この場合、水気を取るために、化粧用チップ８３を厚み方向に強く摘むと、取付基板８２への化粧用チップ８３の接着が外れるおそれがあり、このため化粧用チップ８３内に浸入した水気を取ることも困難であった。
【０００４】
本発明は上記問題点に鑑み、化粧用チップが取付基板から不測に外れるのを防止できると共に、洗った場合等に、化粧用チップから水気を簡単に取ることができるようにしたものである。
【０００５】
【課題を解決するための手段】
この技術的課題を解決するための本発明の技術的手段は、把持体２の一端部に取付基板３が設けられ、取付基板３に化粧用チップ４を装着するようにした化粧用具において、
化粧用チップ４は、取付基板３を内嵌する嵌合溝部７を有すると共に、嵌合溝部７を挟む一方側に中実体８を有し、他方側に被覆体９を有し、中実体８の内面が、取付基板３を接着する接着面１５とされ、被覆体９と嵌合溝部７との間に空洞部１１が設けられている点にある。
【０００６】
また、本発明の他の技術的手段は、前記嵌合溝部７及び空洞部１１の周囲を、基端側を残して塞ぐように、前記化粧用チップ４の中実体８と被覆体９との幅方向両側と先端側とが、一体に連結され、中実体８と被覆体９との間の基端側に、取付基板３を挿入する挿入口１２が設けられている点にある。
また、本発明の他の技術的手段は、前記取付基板３は楕円の板状に形成され、化粧用チップ４は、扁平な楕円状に形成されている点にある。
また、本発明の他の技術的手段は、前記嵌合溝部７は、空洞部１１側から中実体８側に向けて段部１３を介して取付基板３に対応する形状で没入形成されている点にある。
【０００７】
また、本発明の他の技術的手段は、前記化粧用チップ４は、シリコーンにより構成されている点にある。
【０００８】
【発明の実施の形態】
以下、本発明を図示の実施の形態に従って説明する。
図１〜図３において、化粧用具１は、クリーム状又はゲル状のラメやアイシャドー等を塗布するために用いられるもので、棒状の把持体２と、把持体２の一端に外方突設した取付基板３と、取付基板３に装着した化粧用チップ４とを備えている。
把持体２と取付基板３とは、硬質の合成樹脂によって一体に成形され、把持体２は楕円の棒状に形成され、取付基板３は楕円の板状に形成されている。
【０００９】
化粧用チップ４は、シリコーンにより構成され、取付基板３に対応して扁平な楕円状に形成されている。化粧用チップ４は、取付基板３を内嵌保持する嵌合溝部７を有すると共に、嵌合溝部７を挟む一方側に中実体８を有し、他方側に被覆体９を有している。嵌合溝部７（取付基板３）と被覆体９との間に空洞部１１が設けられている。
前記化粧用チップ４の中実体８と被覆体９との幅方向両側と先端側とが、一体に連結され、嵌合溝部７及び空洞部１１の周囲が基端側を残して塞がれている。前記中実体８と被覆体９との間の基端側に、取付基板３を挿入する挿入口１２が設けられている。
【００１０】
前記嵌合溝部７は、空洞部１１側から中実体８側に向けて段部１３を介して取付基板３に対応する形状で没入形成されている。中実体８の内面が、取付基板３を接着する接着面１５とされている。取付基板３が嵌合溝部７に内嵌され、取付基板３の空洞部１１とは反対側の取付面１６が中実体８の接着面１５に全面に亘って接着剤１８により接着されている。
上記実施の形態によれば、化粧用具１を使用する場合、把持体２を把持して、クリーム状又はゲル状のラメ又はアイシャドー等の化粧品を化粧用チップ４に付着させ、この付着させた化粧品を顔等に塗布すればよい。この場合、化粧用チップ４は、シリコーンにより構成されているので、クリーム状又はゲル状の化粧品を、化粧用チップ４の内部に染み込むおそれもなく化粧用チップ４に付着させることができて、手の指等を汚すことなく顔等に無駄なく良好に塗布することができる。
【００１１】
この際、化粧用チップ４の被覆体９側を使用すれば、被覆体９と取付基板３（嵌合溝部７）との間に設けられた空洞部１１のクッション作用によって、顔等に化粧用チップ４をソフトに押圧乃至接当することができて、化粧品を顔等にぼかすようにうっすらと塗布するのに便利である。また、化粧用チップ４の中実体８側を使用すれば、化粧品を顔等に比較的強くしっかりと擦り込むことができる。そして、嵌合溝部７は、空洞部１１側から中実体８側に向けて段部１３を介して取付基板３に対応する形状で没入形成され、取付基板３が嵌合溝部７に内嵌され、取付基板３の空洞部１１とは反対側の取付面１６が中実体８の接着面１５に全面に亘って接着剤１８により接着されているので、化粧用チップ４が取付基板３から不測に外れたりすることがなく、化粧用チップ４を強固に取付基板３に装着することができ、化粧用チップ４が取付基板３から不測に外れるのを確実に防止できる。
【００１２】
また、化粧用具１を洗った際に、化粧用チップ４の空洞部１１内に水等が浸入することとなるが、指等で化粧用チップ４をその厚み方向に摘んで押圧することにより、空洞部１１内に浸入した水分を容易かつ確実に挿入口１２から排出して、化粧用チップ４から水気を略完全に取り去ることができ、この際に、取付基板３が中実体８の接着面１５に全面に亘って接着されているため、化粧用チップ４の取付基板３への接着が外れるのを防ぐことができる。
図４〜図１１は他の実施の形態を示し、化粧用具１は、クリーム状又はゲル状のラメやアイシャドー等を塗布するために用いられるもので、化粧用ユニットＡが複数組（図例では３組）設けられると共に、他の化粧用ユニットＢが１組設けられている。その他に、長手方向両端部に一対のキャップ体Ｃが設けられている。
【００１３】
化粧用ユニットＡは、筒状の把持体２と、把持体２の一端に外方突設した取付基板３と、取付基板３に外嵌装着した化粧用チップ４とを有している。取付基板３はナイロン等により板状に形成されている。
化粧用ユニットＡの把持体２は、ＡＢＣ樹脂又はポリプロピレン（ＰＰ）により楕円の筒状に形成され、把持体２は透明、半透明又は着色透明であって透過性を有しており、把持体２内に収納した化粧チップ４の色等を外部から視認できるようになっている。なお、把持体２は、例えば長手方向の長さが３０ｍｍ程度に設定され、楕円の長軸の長さが１３ｍｍ程度に設定されている。
【００１４】
化粧用ユニットＡの把持体２の一端側に、把持体２よりもやや細くなった基板取付部２１が設けられ、基板取付部２１に嵌合孔２２が設けられ、嵌合孔２２に取付基板３が外方突出状に嵌合固着され、これにより基板取付部２１に取付基板３が外方突設されている。基板取付部２１の外周面に、周方向の係合凸部２３が周方向に一対設けられている。把持体２の他端側は開口されていて外嵌筒部２４とされ、外嵌筒部２４の内周面に、前記係合凸部２３に対応する周方向の係止凹部２５が周方向に一対設けられている。
【００１５】
而して、把持体２の外嵌筒部２４に、他の化粧用ユニットＡの把持体２の基板取付部２１が着脱自在に内嵌保持されるようになっており、このとき、基板取付部２１と外嵌筒部２４とが不測に外れないように、基板取付部２１の係合凸部２３と外嵌筒部２４の係止凹部２５とが互いに係合し、これにより、化粧用ユニットＡの化粧用チップ４が、隣り合う他の化粧用ユニットＡの把持体２内に収納されると共に、複数の化粧用ユニットＡが順次着脱自在に連結されるように構成されている。
【００１６】
前記実施の形態の場合と同様に、化粧用ユニットＡの化粧用チップ４は、シリコーンにより構成され、取付基板３に対応して扁平な楕円状に形成されている。また、化粧用チップ４は、実施の形態の場合と同様に、嵌合溝部７と中実体８と被覆体９と空洞部１１とを有し、中実体８と被覆体９との間の基端側に、取付基板３を挿入する挿入口１２が設けられている。取付基板３が嵌合溝部７に内嵌され、取付基板３の空洞部１１とは反対側の取付面１６が中実体８の接着面１５に全面に亘って接着剤１８により接着されている。
【００１７】
第２の化粧用ユニットＢは、鍔体２６と該鍔体２６を挟む一対の支持体２７とを一体に有し、各支持体２７に周方向の係止凸部２３が周方向に一対ずつ突設されている。各支持体２７に一対の取付基板３が互いに逆方向に外方突設され、これら取付基板３に化粧用チップ４がそれぞれ外嵌装着されている。鍔体２６及び一対の支持体２７はＡＢＣ樹脂又はポリプロピレン（ＰＰ）等により構成され、一対の取付基板３はナイロン等により構成されている。支持体２７が、化粧用ユニットＡの把持体２に着脱自在に内嵌されて、前記第２の化粧用ユニットＢの一端側が化粧用ユニットＡに着脱自在に連結され、これにより、他の化粧用ユニットＡの把持体２内に第２の化粧用ユニットＢの他方の化粧用チップ４が収納されている。
【００１８】
第２の化粧用ユニットＢの化粧用チップ４は、化粧用ユニットＡの化粧用チップ４と同様の構成であって、シリコーンにより構成され、取付基板３に対応して扁平な楕円状に形成されている。化粧用チップ４は、嵌合溝部７と、中実体８と、被覆体９とを有し、嵌合溝部７と被覆体９との間に空洞部１１が設けられ、中実体８と被覆体９との間の基端側に、取付基板３を挿入する挿入口１２が設けられている。
前記キャップ体Ｃは、化粧用ユニットＡの把持体２と同一の構成であり、透明、半透明又は着色透明であって透過性を有し、キャップ体Ｃの一端側に、把持体２よりもやや細くなった基板取付部２１が設けられ、基板取付部２１に嵌合孔２２が設けられ、キャップ体Ｃの他端側は開口されていて外嵌筒部２４とされ、把持体２の外嵌筒部２４に、他の化粧用ユニットＡの把持体２の基板取付部２１が着脱自在に内嵌保持され、これにより、キャップ体Ｃに、化粧用ユニットＡの化粧用チップ４が収納されると共に、化粧用ユニットＡが着脱自在に連結されている。
【００１９】
上記実施の形態によれば、ある化粧用ユニットＡの化粧用チップ４を使用する場合、当該化粧用ユニットＡに連結された両隣の化粧用ユニットＡ、第２の化粧用ユニットＢ又はキャップ体Ｃを取り外して、化粧用ユニットＡを他の化粧用ユニットＡ、第２の化粧用ユニットＢ及びキャップ体Ｃから分離し、又は、使用する化粧用ユニットＡの化粧用チップ４を外嵌している他の化粧用ユニットＡの把持体２又はキャップ体Ｃを、当該化粧用ユニットＡから取り外し、この化粧用ユニットＡの化粧用チップ４に、クリーム状又はゲル状のラメ又はアイシャドー等の化粧品を付着させ、この付着させた化粧品を顔等に塗布すればよい。
【００２０】
また、第２の化粧用ユニットＢの化粧用チップ４を使用する場合、使用する化粧用チップ４を外嵌している隣の化粧用ユニットＡの把持体２を、第２の化粧用ユニットＢから取り外して、化粧用チップ４を外部に露出し、この化粧用チップ４にクリーム状又はゲル状のラメ又はアイシャドー等の化粧品を付着させ、この付着させた化粧品を顔等に塗布すればよい。
従って、複数の化粧用ユニットＡ及び第２の化粧用ユニットＢの複数（図例では５個）の化粧用チップ４を、使用する化粧品の種類や色等に対応して使い分けることができる。
【００２１】
そして、化粧用具１を携帯又は保管等する場合には、複数の化粧用ユニットＡ、第２の化粧用ユニットＢ及びキャップ体Ｃを図４に示すように順次連結状態にして、化粧用具１をコンパクトで便利に携帯乃至保管することができ、非常に便利である。しかも、このとき、各化粧用チップ４を隣り合う化粧用ユニットＡの把持体２又はキャップ体Ｃによって外嵌して、把持体２又はキャップＣで化粧用チップ４を保護することができるし、化粧用チップ４に付着した化粧品で周囲を汚さないようにすることができる。
【００２２】
さらに、前記実施の形態の場合と同様に、化粧用チップ４は、シリコーンにより構成されているので、クリーム状又はゲル状の化粧品を、化粧用チップ４の内部に染み込むおそれもなく化粧用チップ４に付着させることができて、手の指等を汚すことなく顔等に無駄なく良好に塗布することができる。また、化粧用チップ４の被覆体９側を使用すれば、化粧品を顔等にぼかすようにうっすらと塗布するのに便利である。また、化粧用チップ４の中実体８側を使用すれば、化粧品を顔等に比較的強くしっかりと擦り込むことができる。また、化粧用チップ４を強固に取付基板３に装着することができ、化粧用チップ４が取付基板３から不測に外れるのを確実に防止できるし、指等で化粧用チップ４をその厚み方向に摘んで押圧することにより、空洞部１１内に浸入した水分を容易かつ確実に挿入口１２から排出して、化粧用チップ４から水気を略完全に取り去ることができ、この際に、取付基板３が中実体８の接着面１５に全面に亘って接着されているため、化粧用チップ４の取付基板３への接着が外れるのを防ぐことができる。
【００２３】
なお、前記実施の形態では、化粧用具１は、複数の化粧用ユニットＡと第２の化粧用ユニットＢとを具備しているが、これに代え、図１２に示すように、化粧用具１を、第２の化粧用ユニットＢを省略して、複数の化粧用ユニットＡのみで構成してもよい。この場合、一端の化粧用ユニットＡの把持体２に化粧用チップ４が収納されなくなり、また、化粧用具１の他端部に、該他端側の化粧用ユニットＡの化粧用チップ４を外嵌するキャップ体Ｃが必要になる。
【００２４】
【発明の効果】
本発明によれば、化粧用チップ４が取付基板３から不測に外れるのを防止できる。洗った場合等に化粧用チップ４内に浸入した水気を簡単に取ることができる。
【図面の簡単な説明】
【図１】本発明の一実施の形態を示す化粧用具の正面断面図である。
【図２】同図１のＡ−Ａ線断面図図である。
【図３】同図１のＢ−Ｂ線断面図である。
【図４】他の実施の形態を示す正面図である。
【図５】同化粧用ユニット部分の正面断面図である。
【図６】同化粧用ユニット部分の側面断面図である。
【図７】同第２の化粧用ユニット部分の正面断面図である。
【図８】同第２の化粧用ユニット部分の側面断面図である。
【図９】同把持体の正面図である。
【図１０】同図５のＣ−Ｃ線断面図である。
【図１１】同図５のＤ−Ｄ線断面図である。
【図１２】他の実施形態を示す正面図である。
【図１３】従来例を示す正面断面図である。
【図１４】同側面断面図である。
【図１５】図１３のＥ−Ｅ線断面図である。
【符号の説明】
１　　　化粧用具
２　　　把持体
３　　　取付基板
４　　　化粧用チップ
７　　　嵌合溝部
８　　　中実体
９　　　被覆体
１１　　　空洞部
１２　　　挿入口
１３　　　段部
１５　　　接着面
【図１】
2004057693.tif 000003
【図２】
2004057693.tif 000004
【図３】
2004057693.tif 000005
【図４】
2004057693.tif 000006
【図５】
2004057693.tif 000007
【図６】
2004057693.tif 000008
【図７】
2004057693.tif 000009
【図８】
2004057693.tif 000010
【図９】
2004057693.tif 000011
【図１０】
2004057693.tif 000012
【図１１】
2004057693.tif 000013
【図１２】
2004057693.tif 000014
【図１３】
2004057693.tif 000015
【図１４】
2004057693.tif 000016
【図１５】
2004057693.tif 000017